(57)【特許請求の範囲】
【請求項１】
ゴルフ練習用マットであって、
各々が傾斜面を有する複数の分割傾斜台、を備えており、
前記複数の分割傾斜台の各々が特定の位置関係で他の分割傾斜台に隣接したときに、前記複数の分割傾斜台の各々の前記傾斜面が連続した１つの傾斜面を形成し、
前記複数の分割傾斜台は、第１分割傾斜台と、第２分割傾斜台と、第３分割傾斜台と、を有しており、
前記第１分割傾斜台と前記第２分割傾斜台と前記第３分割傾斜台の各々は、平面視したときに平面略矩形状の傾斜台をＴ字に３分割して得られる３つの分割部分のうちのいずれか１つに重複なく対応しており、
前記第１分割傾斜台は、平面視したときに一対の短辺と一対の長辺で構成される平面略矩形状であり、一方の前記短辺から他方の前記短辺に向けて傾斜しており、
前記第２分割傾斜台は、平面視したときに一対の短辺と一対の長辺で構成される平面略矩形状であり、一方の前記短辺から他方の前記短辺に向けて傾斜しており、
前記第３分割傾斜台は、平面視したときに一対の短辺と一対の長辺で構成される平面略矩形状であり、一方の前記長辺から他方の前記長辺に向けて傾斜しており、
ゴルフ練習用マットはさらに、
前記第１分割傾斜台の前記傾斜面の全体に着脱可能に取り付けられている第１芝シートと、
前記第２分割傾斜台の前記傾斜面の全体に着脱可能に取り付けられている第２芝シートと、
前記第３分割傾斜台の前記傾斜面の全体に着脱可能に取り付けられている第３芝シートと、を備えており、
前記第１芝シートは、前記第１分割傾斜台の前記傾斜面の全体から取り外されて、前記第１分割傾斜台の前記傾斜面の一部と前記第２分割傾斜台の前記傾斜面の一部を覆うように配置されたときに、前記第１分割傾斜台の前記傾斜面の一部と前記第２分割傾斜台の前記傾斜面の一部に対しても着脱可能に構成されており、
前記第２芝シートは、前記第２分割傾斜台の前記傾斜面の全体から取り外されて、前記第１分割傾斜台の前記傾斜面の他の一部と前記第２分割傾斜台の前記傾斜面の他の一部を覆うように配置されたときに、前記第１分割傾斜台の前記傾斜面の他の一部と前記第２分割傾斜台の前記傾斜面の他の一部に対しても着脱可能に構成されている、ゴルフ練習用マット。
【請求項２】
前記第１分割傾斜台と前記第２分割傾斜台が共通形状である、請求項１に記載のゴルフ練習用マット。
【請求項３】
前記第１分割傾斜台と前記第２分割傾斜台と前記第３分割傾斜台の各々の前記短辺の長さが等しく、
前記第１分割傾斜台と前記第２分割傾斜台と前記第３分割傾斜台の各々の前記長辺の長さが等しい、請求項２に記載のゴルフ練習用マット。
【発明の詳細な説明】
【技術分野】
【０００１】
本明細書が開示する技術は、ゴルフ練習用マットに関する。
【背景技術】
【０００２】
ゴルフコースの地形は起伏に富んでいる。このため、ゴルフプレイヤーは、ゴルフボールが置かれた斜面に応じて「左足上がり」、「左足下がり」、「爪先下がり」、「爪先上がり」と称される状況でショットすることが要求される。このようなゴルフコースの地形を再現したゴルフ練習用マットが知られている。
【０００３】
特許文献１は、各々が傾斜面を有する２つのマットを備えたゴルフ練習用マットを開示する。２つのマットのうちの１つはゴルフプレイヤーが乗るための足場マットであり、他の１つはゴルフボールが置かれるためのボール置きマットである。足場マットとボール置きマットの相対的な位置関係を調整することで、「左足上がり」、「左足下がり」、「爪先下がり」、「爪先上がり」の状況となる地形が再現される。
【先行技術文献】
【特許文献】
【０００４】
【特許文献１】特開２００３−２８４８０１号公報
【発明の概要】
【発明が解決しようとする課題】
【０００５】
特許文献１のゴルフ練習用マットを使用して「爪先上がり」の状況となる地形を再現する場合、ゴルフプレイヤーから見て足場マットの前方にボール置きマットが配置されるとともに、足場マットとボール置きマットはいずれも、その傾斜面がゴルフプレイヤーから見て前方上向きに傾斜するように配置される。このため、ゴルフプレイヤーから見て足場マットの前端が足場マットの最も高い部分であり、ゴルフプレイヤーから見てボール置きマットの後端がボール置きマットの最も低い部分である。特許文献１のゴルフ練習用マットでは、足場マットの前端の高さよりもボール置きマットの後端の高さが低くなっている。この結果、ゴルフプレイヤーの足元の高さとゴルフボールの高さが略一致する。
【０００６】
ゴルフコースにおける「爪先上がり」の状況となる地形は、ゴルフプレイヤーから見て斜面が連続して前方上向きに傾斜していることが多い。このため、このような地形では、ゴルフプレイヤーの足元の高さよりもゴルフボールの高さが高くなる。したがって、特許文献１のゴルフ練習用マットは、「爪先上がり」の状況となる地形を正確に再現しているとは言えない。また、特許文献１のゴルフ練習用マットでは、「爪先下がり」の状況となる地形を再現する場合にも同様の問題が生じる。
【０００７】
本明細書は、ゴルフコースの地形をより正確に再現し得るゴルフ練習用マットを提供する。
【課題を解決するための手段】
【０００８】
本明細書が開示するゴルフ練習用マットは、各々が傾斜面を有する複数の分割傾斜台を備えている。前記複数の分割傾斜台の各々が特定の位置関係で他の分割傾斜台に隣接したときに、前記複数の分割傾斜台の各々の前記傾斜面が連続した１つの傾斜面を形成する。このゴルフ練習用マットでは、特定の位置関係で隣接する分割傾斜台の間では傾斜面が連続することから、これらの分割傾斜台の間で再現される地形は、ゴルフコースの地形をより正確に再現することができる。
【０００９】
前記複数の分割傾斜台は、第１分割傾斜台と、第２分割傾斜台と、第３分割傾斜台と、を有していてもよい。前記第１分割傾斜台と前記第２分割傾斜台と前記第３分割傾斜台の各々は、平面視したときに平面略矩形状の傾斜台をＴ字に３分割して得られる３つの分割部分のうちのいずれか１つに重複なく対応してもよい。前記第１分割傾斜台は、平面視したときに一対の短辺と一対の長辺で構成される平面略矩形状であり、一方の前記短辺から他方の前記短辺に向けて傾斜していてもよい。前記第２分割傾斜台は、平面視したときに一対の短辺と一対の長辺で構成される平面略矩形状であり、一方の前記短辺から他方の前記短辺に向けて傾斜していてもよい。前記第３分割傾斜台は、平面視したときに一対の短辺と一対の長辺で構成される平面略矩形状であり、一方の前記長辺から他方の前記長辺に向けて傾斜していてもよい。このゴルフ練習用マットでは、前記第１分割傾斜台と前記第２分割傾斜台のうちの一方をゴルフプレイヤーが乗るためのマットとし、他方をゴルフボールが置かれるためのマットとして用いると、「左足上がり」及び「左足下がり」の状況となる地形を再現することができる。また、このゴルフ練習用マットでは、前記第１分割傾斜台と前記第２分割傾斜台の組合せをゴルフプレイヤーが乗るためのマットとし、前記第３分割傾斜台をゴルフボールが置かれるためのマットとして用いると、「爪先下がり」の状況となる地形を再現することができる。また、このゴルフ練習用マットでは、前記第３分割傾斜台をゴルフプレイヤーが乗るためのマットとし、前記第１分割傾斜台と前記第２分割傾斜台の組合せをゴルフボールが置かれるためのマットとして用いると、「爪先上がり」の状況となる地形を再現することができる。
【００１０】
前記第１分割傾斜台と前記第２分割傾斜台が共通形状であってもよい。前記第１分割傾斜台と前記第２分割傾斜台を重ね合わせたときに直方体の形状となるので、このようなゴルフ練習用マットは搬送性及び収納性に優れている。また、部品点数が少なくなるので、ゴルフ練習用マットの製造が容易となる。
【００１１】
前記第１分割傾斜台と前記第２分割傾斜台と前記第３分割傾斜台の各々の前記短辺の長さが等しくてもよく、前記第１分割傾斜台と前記第２分割傾斜台と前記第３分割傾斜台の各々の前記長辺の長さが等しくてもよい。前記第１分割傾斜台と前記第２分割傾斜台と前記第３分割傾斜台をバランス良く重ね合わせることができるので、このようなゴルフ練習用マットは搬送性及び収納性に優れている。
【００１２】
本明細書が開示するゴルフ練習用マットは、前記第１分割傾斜台の前記傾斜面の全体に着脱可能に取り付けられている第１芝シートと、前記第２分割傾斜台の前記傾斜面の全体に着脱可能に取り付けられている第２芝シートと、前記第３分割傾斜台の前記傾斜面の全体に着脱可能に取り付けられている第３芝シートと、をさらに備えていてもよい。前記第１芝シートは、前記第１分割傾斜台の前記傾斜面の全体から取り外されて、前記第１分割傾斜台の前記傾斜面の一部と前記第２分割傾斜台の前記傾斜面の一部を覆うように配置されたときに、前記第１分割傾斜台の前記傾斜面の一部と前記第２分割傾斜台の前記傾斜面の一部に対しても着脱可能に構成されていてもよい。前記第２芝シートは、前記第２分割傾斜台の前記傾斜面の全体から取り外されて、前記第１分割傾斜台の前記傾斜面の他の一部と前記第２分割傾斜台の前記傾斜面の他の一部を覆うように配置されたときに、前記第１分割傾斜台の前記傾斜面の他の一部と前記第２分割傾斜台の前記傾斜面の他の一部に対しても着脱可能に構成されていてもよい。このゴルフ練習用マットでは、「爪先上がり」の状況となる地形を再現したとき、前記第１芝シートを前記第１分割傾斜台の前記傾斜面の一部と前記第２分割傾斜台の前記傾斜面の一部を覆うように配置し、前記第２芝シートを前記第１分割傾斜台の前記傾斜面の他の一部と前記第２分割傾斜台の前記傾斜面の他の一部を覆うように配置することができる。このような配置によると、前記第１芝シートと前記第２芝シートの境界がスイング面と略平行な方向に伸びることとなる。このため、スイングしたときのクラブヘッドの衝突によって前記第１芝シート及び前記第２芝シートが分割傾斜台から剥離される事態が抑制される。
【図面の簡単な説明】
【００１３】
【図１】ゴルフ練習用マットの平面図を模式的に示す図であり、ゴルフ練習用マットを構成する３つの分割傾斜マットが互いに隣接して配置されたときの図である。
【図２】ゴルフ練習用マットの底面図を模式的に示す図であり、ゴルフ練習用マットを構成する３つの分割傾斜マットが互いに隣接して配置されたときの図である。
【図３】ゴルフ練習用マットの正面図を模式的に示す図であり、ゴルフ練習用マットを構成する３つの分割傾斜マットが互いに隣接して配置されたときの図である。
【図４】ゴルフ練習用マットの背面図を模式的に示す図であり、ゴルフ練習用マットを構成する３つの分割傾斜マットが互いに隣接して配置されたときの図である。
【図５】ゴルフ練習用マットの右側面図を模式的に示す図であり、ゴルフ練習用マットを構成する３つの分割傾斜マットが互いに隣接して配置されたときの図である。
【図６】ゴルフ練習用マットの左側面図を模式的に示す図であり、ゴルフ練習用マットを構成する３つの分割傾斜マットが互いに隣接して配置されたときの図である。
【図７】ゴルフ練習用マットの斜視図を模式的に示す図であり、ゴルフ練習用マットを構成する３つの分割傾斜マットが互いに隣接して配置されたときの図である。
【図８】ゴルフ練習用マットの斜視図を模式的に示す図であり、ゴルフ練習用マットを構成する３つの分割傾斜マットが互いに離れて配置されたときの図である。
【図９】「左足上がり」の状況となる地形を再現したときの分割傾斜マットの配置を示す図である。
【図１０】「左足下がり」の状況となる地形を再現したときの分割傾斜マットの配置を示す図である。
【図１１】「爪先下がり」の状況となる地形を再現したときの分割傾斜マットの配置を示す図である。
【図１２】「爪先上がり」の状況となる地形を再現したときの分割傾斜マットの配置を示す図である。
【図１３】ゴルフ練習用マットの製造方法を説明するための図であり、上側に示された図が出発材料となる傾斜台の平面図であり、下側に示された図が出発材料となる傾斜台の側面図である。
【発明を実施するための形態】
【００１４】
図１〜８に示されるように、ゴルフ練習用マット１は、第１分割傾斜マット１０と、第２分割傾斜マット２０と、第３分割傾斜マット３０と、を備えている。これら３つの分割傾斜マット１０，２０，３０を組み合わせると、平面略矩形状の１つの傾斜マットが構成される。換言すると、第１分割傾斜マット１０と第２分割傾斜マット２０と第３分割傾斜マット３０の各々は、１つの大きな傾斜マットをＴ字に３分割して得られる３つの分割部分のうちのいずれか１つに重複なく対応している。以下、図１〜８のうちの特に図８を参照して説明する。
【００１５】
第１分割傾斜マット１０は、第１分割傾斜台１２と、第１芝シート１４と、を有している。第１分割傾斜台１２は、特に限定されるものではないが、例えばゴムスポンジを材料に用いて形成されてもよい。第１分割傾斜台１２は、平面視したときに一対の短辺と一対の長辺で構成される平面略矩形状であり、一方の短辺から他方の短辺に向けて傾斜している。第１分割傾斜台１２の短辺の長さは、特に限定されるものではないが、例えば３３０ｍｍであってもよい。第１分割傾斜台１２の長辺の長さは、特に限定されるものではないが、例えば６６０ｍｍであってもよい。第１分割傾斜台１２は、上面１０２と、上面１０２に対向する下面１０４と、上面１０２と下面１０４の間を接続する４つの側面１０６，１０８，１１０，１１２と、を有している。上面１０２が傾斜面であり、下面１０４に対して非平行である。下面１０４は、使用時に地面に接する面であり、４つの側面１０６，１０８，１１０，１１２のいずれに対しても直交している。第１側面１０６と第２側面１０８が第１分割傾斜台１２の短辺に対応する側面であり、両者は平行である。第１側面１０６と第２側面１０８の各々は、矩形状である。第１側面１０６の高さが第２側面１０８の高さよりも高い。第１側面１０６の高さは、特に限定されるものではないが、例えば１１０ｍｍであってもよい。第２側面１０８の高さは、特に限定されるものではないが、例えば４０ｍｍであってもよい。第３側面１１０と第４側面１１２が第１分割傾斜台１２の長辺に対応する側面であり、両者は平行である。第３側面１１０と第４側面１１２の各々は、台形状である。第１芝シート１４は、第１分割傾斜マット１０の上面１０２の平面形状に一致した形状を有しており、合成樹脂を用いて形成された人工芝シートである。第１芝シート１４は、第１分割傾斜台１２の上面１０２に着脱可能に取り付けられている。第１芝シート１４は、特に限定されるものではないが、両面接着テープ又は面ファスナーを用いて第１分割傾斜台１２の上面１０２に着脱可能に取り付けられていてもよい。
【００１６】
第２分割傾斜マット２０は、第２分割傾斜台２２と、第２芝シート２４と、を有している。第２分割傾斜台２２は、特に限定されるものではないが、例えばゴムスポンジを材料に用いて形成されてもよい。第２分割傾斜台２２は、平面視したときに一対の短辺と一対の長辺で構成される平面略矩形状であり、一方の短辺から他方の短辺に向けて傾斜している。第２分割傾斜台２２の短辺の長さは、特に限定されるものではないが、例えば３３０ｍｍであってもよい。第２分割傾斜台２２の長辺の長さは、特に限定されるものではないが、例えば６６０ｍｍであってもよい。第２分割傾斜台２２は、上面２０２と、上面２０２に対向する下面２０４と、上面２０２と下面２０４の間を接続する４つの側面２０６，２０８，２１０，２１２と、を有している。上面２０２が傾斜面であり、下面２０４に対して非平行である。下面２０４は、使用時に地面に接する面であり、４つの側面２０６，２０８，２１０，２１２のいずれに対しても直交している。第１側面２０６と第２側面２０８が第２分割傾斜台２２の短辺に対応する側面であり、両者は平行である。第１側面２０６と第２側面２０８の各々は、矩形状である。第１側面２０６の高さが第２側面２０８の高さよりも高い。第１側面２０６の高さは、特に限定されるものではないが、例えば１１０ｍｍであってもよい。第２側面２０８の高さは、特に限定されるものではないが、例えば４０ｍｍであってもよい。第３側面２１０と第４側面２１２が第２分割傾斜台２２の長辺に対応する側面であり、両者は平行である。第３側面２１０と第４側面２１２の各々は、台形状である。第２芝シート２４は、第２分割傾斜台２２の上面２０２の平面形状に一致した形状を有しており、合成樹脂を用いて形成された人工芝シートである。第２芝シート２４は、第２分割傾斜台２２の上面２０２に着脱可能に取り付けられている。第２芝シート２４は、特に限定されるものではないが、両面接着テープ又は面ファスナーを用いて第２分割傾斜台２２の上面２０２に着脱可能に取り付けられていてもよい。
【００１７】
第３分割傾斜マット３０は、第３分割傾斜台３２と、第３芝シート３４と、を有している。第３分割傾斜台３２は、特に限定されるものではないが、例えばゴムスポンジを材料に用いて形成されてもよい。第３分割傾斜台３２は、平面視したときに一対の短辺と一対の長辺で構成される平面略矩形状であり、一方の長辺から他方の長辺に向けて傾斜している。第３分割傾斜台３２の短辺の長さは、特に限定されるものではないが、例えば３３０ｍｍであってもよい。第３分割傾斜台３２の長辺の長さは、特に限定されるものではないが、例えば６６０ｍｍであってもよい。第３分割傾斜台３２は、上面３０２と、上面３０２に対向する下面３０４と、上面３０２と下面３０４の間を接続する４つの側面３０６，３０８，３１０，３１２と、を有している。上面３０２が傾斜面であり、下面３０４に対して非平行である。下面３０４は、使用時に地面に接する面であり、４つの側面３０６，３０８，３１０，３１２のいずれに対しても直交している。第１側面３０６と第２側面３０８が第３分割傾斜台３２の長辺に対応する側面であり、両者は平行である。第１側面３０６と第２側面３０８の各々は、矩形状である。第１側面３０６の高さが第２側面３０８の高さよりも高い。第１側面３０６の高さは、特に限定されるものではないが、例えば４０ｍｍであってもよい。第２側面３０８の高さは、特に限定されるものではないが、例えば１０ｍｍであってもよい。第３側面３１０と第４側面３１２が第３分割傾斜台３２の短辺に対応する側面であり、両者は平行である。第３側面３１０と第４側面３１２の各々は、台形状である。第３芝シート３４は、第３分割傾斜台３２の上面２０２の平面形状に一致した形状を有しており、合成樹脂を用いて形成された人工芝シートである。第３芝シート３４は、第３分割傾斜台３２の上面３０２に着脱可能に取り付けられている。第３芝シート３４は、特に限定されるものではないが、両面接着テープ又は面ファスナーを用いて第３分割傾斜台３２の上面３０２に着脱可能に取り付けられていてもよい。
【００１８】
上記したように、第１分割傾斜台１２と第２分割傾斜台２２は共通形状である。さらに、第１分割傾斜台１２と第２分割傾斜台２２と第３分割傾斜台３２の各々の短辺の長さが等しく、第１分割傾斜台１２と第２分割傾斜台２２と第３分割傾斜台３２の各々の長辺の長さが等しい。このように、３つの分割傾斜台１２，２２，３２の平面形状は同一である。また、３つの芝シート１４，２４，３４は同一形状である。
【００１９】
上記したように、第１分割傾斜マット１０と第２分割傾斜マット２０と第３分割傾斜マット３０の各々は、１つの大きな傾斜マットをＴ字に３分割して得られる３つの分割部分のうちのいずれか１つに重複なく対応している。したがって、３つの分割傾斜マット１０，２０，３０を互いに隣接して配置したときに、３つの分割傾斜マット１０，２０，３０の各々の傾斜面は１つの傾斜面を形成する。同様に、芝シート１４，２４，３４を除いた３つの分割傾斜台１２，２２、３２の各々も、１つの大きな傾斜台をＴ字に３分割して得られる３つの分割部分のうちのいずれか１つに重複なく対応している。したがって、３つの分割傾斜台１２，２２、３２の各々を互いに隣接して配置したときに、３つの分割傾斜台１２，２２、３２の各々の傾斜面１０２，２０２，３０２は１つの傾斜面を形成する。
【００２０】
次に、図９〜図１２を参照し、ゴルフ練習用マット１の使用方法を説明する。
【００２１】
図９は、「左足上がり」の状況となる地形を再現したときの分割傾斜マットの配置を示している。この場合、第１分割傾斜マット１０と第２分割傾斜マット２０が用いられる。この例では、ゴルフプレイヤーが乗るためのマットとして第１分割傾斜マット１０が用いられ、ゴルフボールが置かれるためのマットとして第２分割傾斜マット２０が用いられている。第１分割傾斜マット１０と第２分割傾斜マット２０は共通形状であることから、逆に配置されてもよい。また、必要に応じて、第１分割傾斜マット１０と第２分割傾斜マット２０の間を開けて配置してもよい。第１分割傾斜マット１０と第２分割傾斜マット２０は、隣接して配置したときに１つの傾斜面を構成している。また、第１分割傾斜マット１０と第２分割傾斜マット２０が離れて配置されても、第１分割傾斜マット１０の傾斜角度と第２分割傾斜マット２０の傾斜角度が等しいことから、第１分割傾斜マット１０と第２分割傾斜マット２０の各々の傾斜面は、仮想的な１つの傾斜面内に配置される。このため、第１分割傾斜マット１０と第２分割傾斜マット２０は、「左足上がり」の状況となる地形を正確に再現している。
【００２２】
図１０は、「左足下がり」の状況となる地形を再現したときの分割傾斜マットの配置を示している。この場合、第１分割傾斜マット１０と第２分割傾斜マット２０が用いられる。この例では、ゴルフプレイヤーが乗るためのマットとして第２分割傾斜マット２０が用いられ、ゴルフボールが置かれるためのマットとして第１分割傾斜マット１０が用いられている。第１分割傾斜マット１０と第２分割傾斜マット２０は共通形状であることから、逆に配置されてもよい。また、必要に応じて、第１分割傾斜マット１０と第２分割傾斜マット２０の間を開けて配置してもよい。第１分割傾斜マット１０と第２分割傾斜マット２０は、隣接して配置したときに１つの傾斜面を構成している。また、第１分割傾斜マット１０と第２分割傾斜マット２０が離れて配置されても、第１分割傾斜マット１０の傾斜角度と第２分割傾斜マット２０の傾斜角度が等しいことから、第１分割傾斜マット１０と第２分割傾斜マット２０の各々の傾斜面は、仮想的な１つの傾斜面内に配置される。このため、第１分割傾斜マット１０と第２分割傾斜マット２０は、「左足下がり」の状況となる地形を正確に再現している。
【００２３】
図１１は、「爪先下がり」の状況となる地形を再現したときの分割傾斜マットの配置を示している。この場合、第１分割傾斜マット１０と第２分割傾斜マット２０と第３分割傾斜マット３０が用いられる。この例では、ゴルフプレイヤーが乗るためのマットとして第１分割傾斜マット１０と第２分割傾斜マット２０の組合せが用いられ、ゴルフボールが置かれるためのマットとして第３分割傾斜マット３０が用いられている。第１分割傾斜マット１０と第２分割傾斜マット２０は共通形状であることから、逆に配置されてもよい。また、必要に応じて、これら分割傾斜マット１０，２０，３０の各々の間を開けて配置してもよい。これら分割傾斜マット１０，２０，３０は、隣接して配置したときに１つの傾斜面を構成している。また、これら分割傾斜マット１０，２０，３０の各々が離れて配置されても、第１分割傾斜マット１０と第２分割傾斜マット２０の組合せ内にあるゴルフプレイヤーの足元の高さよりも、第３分割傾斜マット３０内にあるゴルフボールの置かれる位置が確実に低くなる。このため、これら分割傾斜マット１０，２０，３０は、「爪先下がり」の状況となる地形を正確に再現している。
【００２４】
図１２は、「爪先上がり」の状況となる地形を再現したときの分割傾斜マットの配置を示している。この場合、第１分割傾斜マット１０と第２分割傾斜マット２０と第３分割傾斜マット３０が用いられる。この例では、ゴルフプレイヤーが乗るためのマットとして第３分割傾斜マット３０が用いられ、ゴルフボールが置かれるためのマットとして第１分割傾斜マット１０と第２分割傾斜マット２０の組合せが用いられている。第１分割傾斜マット１０と第２分割傾斜マット２０は共通形状であることから、逆に配置されてもよい。また、必要に応じて、これら分割傾斜マット１０，２０，３０の各々の間を開けて配置してもよい。これら分割傾斜マット１０，２０，３０は、隣接して配置したときに１つの傾斜面を構成している。また、これら分割傾斜マット１０，２０，３０の各々が離れて配置されても、第３分割傾斜マット３０内にあるゴルフプレイヤーの足元の高さよりも、第１分割傾斜マット１０と第２分割傾斜マット２０の組合せ内にあるゴルフボールの置かれる位置が確実に高くなる。このため、これら分割傾斜マット１０，２０，３０は、「爪先上がり」の状況となる地形を正確に再現している。
【００２５】
また、図１２の下側に示すように、第１芝シート１４が第１分割傾斜台１２の傾斜面の上側半分と第２分割傾斜台２２の傾斜面の上側半分を覆うように配置され、第２芝シート２４が第１分割傾斜台１２の傾斜面の下側半分と第２分割傾斜台２２の傾斜面の下側半分を覆うように配置されてもよい。この場合、第１芝シート１４と第２芝シート２４の境界がスイング面と略平行な方向に伸びることとなる。このため、スイングしたときのクラブヘッドの衝突によって第１芝シート１４及び第２芝シート２４が分割傾斜台から剥離される事態が抑制される。
【００２６】
以下、ゴルフ練習用マット１の他の特徴について記載する。
【００２７】
ゴルフ練習用マット１は、３つの分割傾斜マット１０，２０，３０によって構成されている。このため、１つの大きな傾斜マットに比べて搬送性が格段に向上している。また、第１分割傾斜マット１０と第２分割傾斜マット２０が共通形状であることから、第１分割傾斜マット１０と第２分割傾斜マット２０を重ね合わせたときに直方体の形状となるので、ゴルフ練習用マット１は搬送性及び収納性に優れている。さらに、３つの分割傾斜マット１０，２０，３０は平面形状が共通である。このため、３つの分割傾斜マット１０，２０，３０をバランス良く重ね合わせることができるので、この点においてもゴルフ練習用マット１は搬送性及び収納性に優れている。また、第１分割傾斜マット１０と第２分割傾斜マット２０が共通形状であることから、部品点数が少なくなり、ゴルフ練習用マット１の製造が容易となる。
【００２８】
ゴルフ練習用マット１の３つの分割傾斜台１２，２２，３２は、ゴムスポンジからなる１つの大きな傾斜台を出発材料として準備し、その傾斜台をＴ字に切断することで形成することができる。この例に代えて、図１３に示す方法でゴルフ練習用マット１を製造してもよい。この例では、ゴムスポンジからなる１つの傾斜台を出発材料として準備し、その傾斜台を２つに切断して分割部分４２，４４を形成する。分割部分４２が第１分割傾斜台１２及び第２分割傾斜台２２となる。２つの分割部分４４の側面同士を接着すると、第３分割傾斜台３２を形成することができる。この製造方法では、より小さい傾斜台を出発材料としているので、製造が容易となり得る。また、１つの切断だけで形成することができるので、寸法ズレも抑えられ得る。
【００２９】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００３０】
１：ゴルフ練習用マット
１０，２０，３０：分割傾斜マット
１２，２２，３２：分割傾斜台
１４，２４，３４：芝シート
【要約】
【課題】ゴルフコースの地形をより正確に再現し得るゴルフ練習用マットを提供する。
【解決手段】ゴルフ練習用マットは、各々が傾斜面を有する複数の分割傾斜台、を備えている。前記複数の分割傾斜台の各々が特定の位置関係で他の分割傾斜台に隣接したときに、前記複数の分割傾斜台の各々の前記傾斜面が連続した１つの傾斜面を形成する。
【選択図】図７【図１】
0006976018.tif 000002
【図２】
0006976018.tif 000003
【図３】
0006976018.tif 000004
【図４】
0006976018.tif 000005
【図５】
0006976018.tif 000006
【図６】
0006976018.tif 000007
【図７】
0006976018.tif 000008
【図８】
0006976018.tif 000009
【図９】
0006976018.tif 000010
【図１０】
0006976018.tif 000011
【図１１】
0006976018.tif 000012
【図１２】
0006976018.tif 000013
【図１３】
0006976018.tif 000014